(57)【要約】【課題】室内を有効に活用した上で、振動の低減を図った免震床構造を構築することである。【解決手段】生産装置５２を稼働させると、生産装置５２が振動し、この振動は室内床２６に伝達される。室内床２６に伝達され、床下空間３０に配置された吊り部材３６に向けて流れようとする振動は、ダンパスプリング３８が伸縮することで、吊り部材３６への伝達が抑制される。吊り部材３６への振動の伝達が抑制されることで、被吊部材４０、支持部材４２及び免震床４６の振動が抑制される。このように、床下空間３０に吊り部材３６を配置することで、室内２４を有効に活用した上で、振動の低減を図った免震床構造１２を構築することができる。【選択図】図１
2012241417.tif 000002
【特許請求の範囲】
【請求項１】
基礎床と、
前記基礎床の鉛直方向上方に設けられ、前記基礎床と隙間を空けて配置されると共に、室内を向いた床面を備え、表裏を貫通する開口部が設けられた室内床と、
前記開口部の開口縁と隙間を空けて設けられる免震床と、
前記開口部の周囲に設けられ、前記室内床から鉛直方向下方に延びる長尺状とされると共に、前記基礎床と隙間を空けて配置される複数個の吊り部材と、
前記吊り部材の上端側と、前記室内床とを連結させると共に、前記室内床の振動を吸収する振動吸収部材と、
複数個の前記吊り部材の下端側に取り付けられ、前記基礎床と隙間を空けて配置される被吊部材と、  
前記被吊部材から立ち上がり、前記免震床を支持する支持部材と、
を備える免震床構造。
【請求項２】
前記基礎床に固定され、水平方向に移動しようとする前記被吊部材と当って前記被吊部材が水平方向に移動するのを抑制する移動抑制部材が備えられる請求項１に記載の免震床構造。
【発明の詳細な説明】
【技術分野】
【０００１】
本発明は、構造物内に設けられた免震床構造に関する。
【背景技術】
【０００２】
特許文献１には、天井から吊り下げられた懸垂ロッドと、この懸垂ロッドの下端側に取り付けられた吊り床とを備えた吊り床構造が記載されている。さらに、懸垂ロッドの吊り部分には、垂直方向減衰手段が配置されている。また、吊り床と下部スラブとの間には、水平方向減衰装置が配置されている。
【先行技術文献】
【特許文献】
【０００３】
【特許文献１】特開平１０−２４５９６８号公報
【発明の概要】
【発明が解決しようとする課題】
【０００４】
しかし、従来の構造では、天井から懸垂ロッドが吊り下げられているため、室内にロッドが露出し、室内スペースを有効に活用することができなかった。
【０００５】
本発明の課題は、室内を有効に活用した上で、振動の低減を図った免震床構造を構築することである。
【課題を解決するための手段】
【０００６】
本発明の請求項１に係る免震床構造は、基礎床と、前記基礎床の鉛直方向上方に設けられ、前記基礎床と隙間を空けて配置されると共に、室内を向いた床面を備え、表裏を貫通する開口部が設けられた室内床と、前記開口部の開口縁と隙間を空けて設けられる免震床と、前記開口部の周囲に設けられ、前記室内床から鉛直方向下方に延びる長尺状とされると共に、前記基礎床と隙間を空けて配置される複数個の吊り部材と、前記吊り部材の上端側と、前記室内床とを連結させると共に、前記室内床の振動を吸収する振動吸収部材と、複数個の前記吊り部材の下端側に取り付けられ、前記基礎床と隙間を空けて配置される被吊部材と、前記被吊部材から立ち上がり、前記免震床を支持する支持部材と、を備えることを特徴とする。
【０００７】
上記構成によれば、室内を向いた床面を備える室内床が、基礎床の鉛直方向上方に設けられ、基礎床と隙間を空けて配置されている。そして、室内床の表裏を貫通する開口部が設けられている。
【０００８】
室内床から鉛直方向下方に延びる長尺状とされた複数個の吊り部材が、この開口部の周囲に設けられ、基礎床と隙間を空けて配置されている。さらに、室内床の振動を吸収する振動吸収部材が、吊り部材の上端側と、室内床とを連結させている。
【０００９】
また、基礎床と隙間を空けて配置される被吊部材が、吊り部材の下端側に取り付けられている。さらに、この被吊部材から立ち上がる支持部材が、開口部の開口縁と隙間を空けて設けられる免震床を支持している。これにより、振動吸収部材は、室内床の振動を吸収し、免震床には、この振動が伝達されるのが抑制される。
【００１０】
以上のように、振動吸収部材によって室内床と連結された吊り部材を、室内床と基礎床との間に配置することで、室内を有効に活用した上で、振動の低減を図った免震床構造を構築することができる。
【００１１】
本発明の請求項２に係る免震床構造は、請求項１に記載において、前記基礎床に固定され、水平方向に移動しようとする前記被吊部材と当って前記被吊部材が水平方向に移動するのを抑制する移動抑制部材が備えられることを特徴とする。
【００１２】
上記構成によれば、基礎床に固定された移動抑制部材が、水平方向に移動しようとする被吊部材と当って被吊部材が水平方向に移動するのを抑制する。このように、基礎床に被吊部材の水平方向の移動を抑制する移動抑制部材を設けることで、地震などで構造物が水平方向に揺れたとき、吊り部材が振り子のように揺れることで免震床が大きく移動するのを抑制することができる。
【発明の効果】
【００１３】
本発明によれば、室内を有効に活用した上で、振動の低減を図った免震床構造を構築することができる。
【図面の簡単な説明】
【００１４】
【図１】本発明の実施形態に係る免震床構造を示した側面図である。
【図２】本発明の実施形態に係る免震床構造を示した斜視図である。
【図３】本発明の実施形態に係る免震床構造が用いられる構造物を示した構成図である
【発明を実施するための形態】
【００１５】
本発明の実施形態に係る免震床構造の一例について図１〜図３に従って説明する。なお、図中矢印ＵＰは鉛直方向上方を示す。
【００１６】
（全体構成）
図３に示されるように、免震床構造１２を備える構造物１０は、地盤（ＧＬ）に鉛直方向に埋め込まれた円柱状の複数本の杭（図示省略）と、地盤（ＧＬ）に構築され、杭に支持されたコンクリート基礎１４（以下単に基礎１４と言う）とを備えている。
【００１７】
さらに、この基礎１４の上側（鉛直方向上側）には、鉛直方向に延びる柱部材１６と、柱部材１６を外側から覆うように設けられた壁部材（図示省略）と、柱部材１６の上端に支持される屋根部材１８とが構築されている。
【００１８】
また、基礎１４の上面は基礎床２０とされ、さらに、基礎床２０の上方には、トラス部材２２によって支持されると共に室内２４を向いた床面２６Ａを備えた室内床２６が設けられている。つまり、基礎床２０と室内床２６との間には、床下空間３０が設けられている。
【００１９】
そして、室内床２６には、振動を嫌う検査機等の嫌振機器２８を支持する免震床構造１２が設けられている。
【００２０】
（要部構成）
次に、免震床構造１２について説明する。
【００２１】
図１、図２に示されるように、室内床２６には、表裏を貫通する平面視（上方から見て）正方形状の開口部３２が形成されている。つまり、開口部３２を通して、室内２４の空気と床下空間３０の空気とが自由に流れるようになっている。
【００２２】
さらに、開口部３２の周囲（本実施例では、開口部３２の角部の近傍）には、室内床２６から鉛直方向下方に延びる断面円形で長尺状とされると共に、基礎床２０と隙間を空けて配置される４本の吊り部材３６が設けられている。さらに、夫々の吊り部材３６の上端部は、室内床２６に形成された円孔２６Ｂを通して室内２４に露出している。そして、室内２４に露出した吊り部材３６の上端部には、一般部に比べて径方向に広げられた鍔部３６Ａが設けられている。
【００２３】
また、鍔部３６Ａと室内床２６との間には、吊り部材３６の上端側と室内床２６とを連結させると共に、室内床２６の振動を吸収する振動吸収部材の一例のダンパスプリング３８が設けられている。つまり、室内床２６が例えば上下方向に振動した場合には、ダンパスプリング３８が伸縮することで、振動が吊り部材３６に伝達されるのが抑制されるようになっている。
【００２４】
さらに、吊り部材３６の下端には、基礎床２０と隙間を空けて配置される板状の被吊部材４０が取り付けられている。具体的には、被吊部材４０は、板状とされ、平面視で正方形状とされている。そして、正方形状の四隅に、吊り部材３６の下端が取り付けられている。つまり、板状の被吊部材４０は、バランス良く吊り部材３６に支持されている。
【００２５】
また、被吊部材４０の上面には、上方に向けて立ち上がる柱４２Ａ及び筋交４２Ｂで構成される支持部材４２が載せされている。さらに、支持部材４２の上端には、開口部３２の開口縁３２Ａと隙間を空けて設けられる免震床４６が支持されている。また、免震床４６は、室内床２６と同一面となるように配置されている。そして、前述した嫌振機器２８が、この免震床４６に載せられている。
【００２６】
一方、基礎床２０には、水平方向に移動しようとする被吊部材４０と当って被吊部材４０が水平方向に移動するのを抑制する移動抑制部材の一例としてのストッパー５０が設けられている。
【００２７】
具体的には、ストッパー５０は、被吊部材４０を囲むように４個設けられている。そして、ストッパー５０は、被吊部材４０の端部と当る当接面５０Ａを備え、被吊部材４０の静止状態では、ストッパー５０の当接面５０Ａと被吊部材４０との間には隙が生じるように、ストッパー５０が基礎床２０に固定されている。
【００２８】
以上より、免震床構造１２は、基礎床２０と、室内床２６と、免震床４６と、吊り部材３６と、ダンパスプリング３８と、被吊部材４０と、支持部材４２と、ストッパー５０とを含んで構成されている。
【００２９】
これに対し、嫌振機器２８の近くの室内床２６には、稼働時に主に上下方向の振動が生じる振動源である生産装置５２が、載せされている。
【００３０】
（作用・効果）
次に、免震床構造１２の作用について説明する。
【００３１】
図１に示されるように、製品を生産するために生産装置５２を稼働させると、生産装置５２が主に上下方向に振動する。生産装置５２が上下方向に振動することで、この振動が室内床２６に伝達される。ここで、免震床４６は室内床２６と隙を空けて設けられているため、室内床２６に伝達された振動が、直接免震床４６に伝達されることはない。
【００３２】
室内床２６に伝達されて吊り部材３６に向けて流れようとする振動の吊り部材３６への伝達は、ダンパスプリング３８が伸縮することで抑制される。吊り部材３６への振動の伝達が抑制されることで、被吊部材４０、支持部材４２及び免震床４６の振動が抑制される。このため、免震床４６に載せされた嫌振機器２８の振動が抑制される。
【００３３】
一方、地震などで、構造物１０（図３参照）が、水平方向に揺れたとき、吊り部材３６が、上端部を基点として振り子のように揺れようとする。しかし、吊り部材３６が振り子のように揺れようとすると、吊り部材３６の下端部に固定された被吊部材４０の縁部が、ストッパー５０の当接面５０Ａに当る。このため、吊り部材３６が振り子のように揺れるのが抑制される。
【００３４】
以上説明したように、室内床２６に伝達されて吊り部材３６に向けて流れようとする振動の伝達は、ダンパスプリング３８が伸縮することで、抑制される。このため、嫌振機器２８が振動するのを抑制することができる。
【００３５】
また、仮に室内床２６の振動が免震床４６に伝達されるとしても、ダンパスプリング３８、吊り部材３６、被吊部材４０、支持部材４２を通して免震床４６に伝達される。つまり、振動伝播経路を長くすることができるため、さらに、嫌振機器２８が振動するのを抑制することができる。
【００３６】
また、吊り部材３６を床下空間３０に配置することで、室内２４を有効に活用した上で、嫌振機器２８に伝達される振動の低減を図った免震床構造１２を構築することができる。
【００３７】
また、吊り部材３６を床下空間３０に配置する構成とすることで、室内２４のレイアウト（例えば製造ラインのレイアウト）が変更になった場合でも、室内２４に吊り部材が設けられている場合と比して、容易に免震床構造１２を移動させることができる。
【００３８】
また、ストッパー５０を被吊部材４０の周囲に配置することで、地震の発生時等に吊り部材３６及び被吊部材４０が振り子のように揺れるのが抑制されるため、嫌振機器２８が水平方向に大きく揺れるのが抑制される。
【００３９】
また、正方形の被吊部材４０の四隅に、吊り部材３６の下端が取り付けられている。このため、吊り部材３６は、板状の被吊部材４０をバランス良く支持することができる。
【００４０】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、吊り部材３６を４本設けた場合を例にとって説明したが、特に４本に限定されることなく、３本であってもよく、５本以上であってもよい。
【００４１】
また、上記実施形態では、ダンパスプリング３８を用いて室内床２６の振動を吸収したが、特にスプリングに限定されることなく、振動を吸収する部材であれば例えば、ゴム等であってもよい。
【符号の説明】
【００４２】
１２            免震床構造
２０            基礎床
２６            室内床
３２            開口部
３２Ａ          開口縁
３６            吊り部材
３８            ダンパスプリング（振動吸収部材の一例）
４０            被吊部材
４２            支持部材
４６            免震床
５０            ストッパー（移動抑制部材の一例）
【図１】
2012241417.tif 000003
【図２】
2012241417.tif 000004
【図３】
2012241417.tif 000005